(57)【要約】【課題】本発明は、従来にない作用効果を発揮する画期的な扉体開閉装置を提供することを目的とする。【解決手段】河川水や海水などの流水を流通せしめる水流通路１に設置され、この水流通路１を閉塞して水の流通を阻止し得る扉体２の開閉装置であって、扉体２を上下方向に昇降動させる昇降動用シリンダー装置３と、扉体２を前後方向に回動させる回動用シリンダー装置４とを具備し、この昇降動用シリンダー装置３により扉体２を昇動させるとともに、回動用シリンダー装置４により扉体２を前回動させて扉体２を開放状態とした際、昇降動用シリンダー装置３と回動用シリンダー装置４夫々のロッド３ａ，４ａが突出状態でない没状態となるように構成されたものである。【選択図】        図１
2004339821.tif 000002
【特許請求の範囲】
【請求項１】
河川水や海水などの流水を流通せしめる水流通路に設置され、この水流通路を閉塞して水の流通を阻止し得る扉体の開閉装置であって、扉体を上下方向に昇降動させる昇降動用シリンダー装置と、扉体を前後方向に回動させる回動用シリンダー装置とを具備し、この昇降動用シリンダー装置により扉体を昇動させるとともに、回動用シリンダー装置により扉体を前回動させて扉体を開放状態とした際、昇降動用シリンダー装置と回動用シリンダー装置夫々のロッドが突出状態でない没状態となるように構成されていることを特徴とする扉体開閉装置。
【請求項２】
河川水や海水などの流水を流通せしめる水流通路に設置され、この水流通路を閉塞して水の流通を阻止し得る扉体の開閉装置であって、扉体を上下方向に昇降動させる昇降動用シリンダー装置と、扉体を前後方向に回動させる回動用シリンダー装置とを具備し、この昇降動用シリンダー装置のロッドを縮動させて突出状態でない没状態とするとともに、前記回動用シリンダー装置のロッドを縮動させて突出状態でない没状態とした際、前記扉体が昇動するとともに前回動することで開放状態となるように構成され、前記回動用シリンダー装置のロッドを突出状態でない没状態から伸動させるとともに、前記昇降動用シリンダー装置のロッドを突出状態でない没状態から伸動させた際、前記扉体が後回動するとともに降動することで閉塞状態となるように構成されていることを特徴とする扉体開閉装置。
【請求項３】
基体に複数のシリンダー装置を軸支し、一のシリンダー装置を前記扉体に設けられる第一リンク機構に設けて、前記扉体を上下方向に昇降動させる前記昇降動用シリンダー装置として構成するとともに、他のシリンダー装置を前記扉体に設けられる第二リンク機構に設けて、前記扉体を前後方向に回動させる前記回動用シリンダー装置として構成し、この昇降動用シリンダー装置により扉体を昇動させるとともに、回動用シリンダー装置により扉体を前回動させて扉体を開放状態とした際、昇降動用シリンダー装置と回動用シリンダー装置夫々のロッドが突出状態でない没状態となるように構成されていることを特徴とする請求項１，２のいずれか１項に記載の扉体開閉装置。
【発明の詳細な説明】
【０００１】
【発明の属する技術分野】
本発明は、扉体開閉装置に関するものである。
【０００２】
【従来の技術及び発明が解決しようとする課題】
従来から、例えば支川側の流水を本川側へ流出させる水流通路（樋門）に設置され、この水流通路を閉塞して水の流通を阻止し得る扉体の開閉装置として、例えば扉体を左右に立設された支柱でガイドして垂直方向に移動させるスライドゲート（やローラゲート）、水流通路の流水口（開口端部）に対して扉体を前後方向に回動させるフラップゲート（やフロート式ゲート）など種々提案される中、例えば特開２００２−８８７４８号に開示されるオーバーリンクゲートが提案されている。
【０００３】
このオーバーリンクゲートは、一対の油圧シリンダ及びリンク機構を用い、流水口の閉塞状態の扉体を略垂直状に引上げた後、当該扉体下部を外側へ回動させながら、更に上方へ引上げることにより、前記流出口を全開放可能にした構造のものであり、前述したスライドゲートで必要とされる支柱や該支柱を設置する為の大掛かりな基礎構造や、前述したフラップゲートで必要とされる流水口における段差構造（扉体が回動する際の該扉体の下端部における軌道を確保する為の段差）などが不要となるから、設置作業が簡易且つ良好に行えて工期の短縮及び工費の削減が達成されることになり、しかも、装置自体を小型・軽量化することができ非常にコスト安にもなるなど画期的とされる。
【０００４】
本出願人は、このオーバーリンクゲートに着目し、更なる研究・開発を進めた結果、極めて画期的な扉体開閉装置を発明した。
【０００５】
【課題を解決するための手段】
添付図面を参照して本発明の要旨を説明する。
【０００６】
河川水や海水などの流水を流通せしめる水流通路１に設置され、この水流通路１を閉塞して水の流通を阻止し得る扉体２の開閉装置であって、扉体２を上下方向に昇降動させる昇降動用シリンダー装置３と、扉体２を前後方向に回動させる回動用シリンダー装置４とを具備し、この昇降動用シリンダー装置３により扉体２を昇動させるとともに、回動用シリンダー装置４により扉体２を前回動させて扉体２を開放状態とした際、昇降動用シリンダー装置３と回動用シリンダー装置４夫々のロッド３ａ，４ａが突出状態でない没状態となるように構成されていることを特徴とする扉体開閉装置に係るものである。
【０００７】
また、河川水や海水などの流水を流通せしめる水流通路１に設置され、この水流通路１を閉塞して水の流通を阻止し得る扉体２の開閉装置であって、扉体２を上下方向に昇降動させる昇降動用シリンダー装置３と、扉体２を前後方向に回動させる回動用シリンダー装置４とを具備し、この昇降動用シリンダー装置３のロッド３ａを縮動させて突出状態でない没状態とするとともに、前記回動用シリンダー装置４のロッド４ａを縮動させて突出状態でない没状態とした際、前記扉体２が昇動するとともに前回動することで開放状態となるように構成され、前記回動用シリンダー装置４のロッド４ａを突出状態でない没状態から伸動させるとともに、前記昇降動用シリンダー装置３のロッド３ａを突出状態でない没状態から伸動させた際、前記扉体２が後回動するとともに降動することで閉塞状態となるように構成されていることを特徴とする扉体開閉装置に係るものである。
【０００８】
また、基体５に複数のシリンダー装置３，４を軸支し、一のシリンダー装置３を前記扉体２に設けられる第一リンク機構６に設けて、前記扉体２を上下方向に昇降動させる前記昇降動用シリンダー装置３として構成するとともに、他のシリンダー装置４を前記扉体２に設けられる第二リンク機構７に設けて、前記扉体２を前後方向に回動させる前記回動用シリンダー装置４として構成し、この昇降動用シリンダー装置３により扉体２を昇動させるとともに、回動用シリンダー装置４により扉体２を前回動させて扉体２を開放状態とした際、昇降動用シリンダー装置３と回動用シリンダー装置４夫々のロッド３ａ，４ａが突出状態でない没状態となるように構成されていることを特徴とする請求項１，２のいずれか１項に記載の扉体開閉装置に係るものである。
【０００９】
【発明の作用及び効果】
本発明は、昇降動用シリンダー装置３により扉体２を昇動させるとともに、回動用シリンダー装置４により扉体２を前回動させて扉体２を開放状態とすることができる。
【００１０】
従って、スライドゲートで必要とされる支柱や該支柱を設置する為の大掛かりな基礎構造や、フラップゲートで必要とされる流水口における段差構造などが不要となり、設置作業が簡易且つ良好に行えて工期の短縮及び工費の削減が達成されることになり、しかも、装置自体を小型・軽量化することができ非常にコスト安にもなる。
【００１１】
ところで、本発明は、この昇降動用シリンダー装置３及び回動用シリンダー装置４により扉体２を開放状態とした際、該昇降動用シリンダー装置３と回動用シリンダー装置４夫々のロッド３ａ，４ａが突出状態でない没状態となるように構成されている。
【００１２】
これは、シリンダー装置における円滑な伸縮作動性及び耐久性の確保（維持）に貢献する。
【００１３】
即ち、河川水や海水などの流水を流通せしめる水流通路１、例えば支川側の流水を本川側へ流出させる水流通路１（樋門）に設けられる扉体２は、例えば洪水時において本川側から支川側へ逆流するのを防止する為のものであって、普段は開放されているものであるが（閉塞状態に比して開放状態の時間が圧倒的に長く、頻繁に作動させるものではない）、よって、扉体２が開放状態において該扉体２の開放状態を達成するシリンダー装置のロッドが突出状態であった場合には、このロッド部分に錆びが発生したり汚れが付着してしまい、この錆びや汚れがロッドの円滑な伸縮作動性の障害となり、装置自体の耐久性の低下の原因となってしまう（いざという緊急時に扉体２が閉じない或いは円滑に作動しないのでは装置として致命的である。）。
【００１４】
この点、本発明は、前述した構成から、昇降動用シリンダー装置３及び回動用シリンダー装置４は扉体２の開放時にはロッド３ａ，４ａが突出状態でない没状態となるように構成されている故に、前述した問題点が生じることは無く、伸縮作動性及び耐久性に秀れることになり、よって、画期的な扉体開閉装置を提供し得ることになる。
【００１５】
【発明の実施の形態】
図１〜５は本発明の第一実施例、図６〜１０は第二実施例を図示したものであり、以下に説明する。
【００１６】
第一実施例について説明する。
【００１７】
第一実施例は、河川水や海水などの流水を流通せしめる水流通路１に設置され、この水流通路１を閉塞して水の流通を阻止し得る扉体２の開閉装置である。尚、第一実施例は、水流通路１として河川における支川１６と本川１７との連設部位に形成される水流通路１に適用するように構成されており、上下左右を周壁１ａで囲まれた四方タイプと称される角筒状の水路構造物である（図５参照）。符号１ｂは流水口である。
【００１８】
以下、本実施例に係る構成各部について詳細な説明をする。
【００１９】
本実施例は、図５に図示したように水流通路１の上壁１ａに設置され、扉体２に連設される左右一対の開閉作動部８を設けており、この開閉作動部８の作動により扉体２は開閉するように構成されている。
【００２０】
この各開閉作動部８は、扉体２を上下方向に昇降動させる昇降動用シリンダー装置３と、扉体２を前後方向に回動させる回動用シリンダー装置４とを具備し、具体的には、水流通路１に設置される基体５に筒状収納部３ｂ，４ｂに対してロッド３ａ，４ａが突没する一対の油圧シリンダー装置３，４（駆動源及び制御部は図示省略）を軸支し、一のシリンダー装置３を扉体２に設けられる後述する第一リンク機構６に設けて、該扉体２を上下方向に昇降動させる昇降動用シリンダー装置３として構成されているとともに、他のシリンダー装置４を扉体２に設けられる後述する第二リンク機構７に設けて、該扉体２を前後方向に回動させる回動用シリンダー装置４として構成されている。尚、シリンダー装置３，４としては水没する点を考慮すれば油圧式に限らずエアー式でも良く、また、その本数も適宜設定し得るなど、本実施例の特性を発揮する構成であれば適宜設計変更し得るものである。
【００２１】
この昇降動用シリンダー装置３及び回動用シリンダー装置４を作動させることで、第一リンク機構６及び第二リンク機構７を介して扉体２は開閉する。
【００２２】
即ち、第一リンク機構６は、図１〜５に図示したように水流通路１の上壁１ａ設置され、金属板製の設置部材５ａ及び立設部材５ｂから成る基体５と、扉体２の上部に突出状態に設けられ、く字状に屈曲形成された金属板製の第一リンク部材９と、この第一リンク部材９の屈曲部９ａに突設される第一軸杆１１に先端部が軸支され、基体５に係る立設部材５ｂの下方位置に突設される第二軸杆１２に基端部が軸支される第二リンク部材１０とを設け、この第一リンク部材９と第二リンク部材１０との枢着連結部にして第一軸杆１１に昇降動用シリンダー装置３のロッド３ａ先端部を軸支し、昇降動用シリンダー装置３の筒状収納部３ｂを基体５に係る立設部材５ｂの上方位置に突設される第三軸杆１３に軸支して構成されており、この昇降動用シリンダー装置３のロッド３ａを縮動させることで扉体２は上方へ引上げられるように昇動し、反対に、昇降動用シリンダー装置３のロッド３ａを伸動させることで扉体２は下方へ降動するように構成されている。
【００２３】
第二リンク機構７は、図１〜５に図示したように前記第一リンク部材９の上端部に突設される第四軸杆１４に回動用シリンダー装置４のロッド４ａ先端部を軸支し、回動用シリンダー装置４の筒状収納部４ｂを基体５に係る立設部材５ｂの上方位置に突設される第三軸杆１３に軸支して構成されており、この回動用シリンダー装置４のロッド４ａを縮動させることで扉体２は前方へ回動（前回動）し、反対に、回動用シリンダー装置４のロッド４ａを伸動させることで扉体２は後方へ回動（後回動）するように構成されている。
【００２４】
以上の構成から成る扉体開閉装置における扉体２の開閉作動について説明する。
【００２５】
まず、昇降動用シリンダー装置３のロッド３ａを縮動させると、扉体２が上方向（図２中矢印ａ方向）に昇動し、続いて、回動用シリンダー装置４のロッド４ａを縮動させると、扉体２が前方向（図３中矢印ｂ方向）に回動して流水口１ｂを開放する開放状態となる（図４参照）。この際、昇降動用シリンダー装置３及び回動用シリンダー装置４夫々のロッド３ａ，４ａは突出状態でない没状態となる。
【００２６】
この開放状態の扉体２を閉塞状態とする際には、反対の動作をさせることになり、即ち、回動用シリンダー装置４のロッド４ａを突出状態でない没状態から伸動させると、扉体２が後方向に回動し、続いて、昇降動用シリンダー装置３のロッド３ａを突出状態でない没状態から伸動させると、扉体２が下方向に降動して流水口１ｂを閉塞する閉塞状態となる。
【００２７】
本実施例は上述のように構成したから、扉体２が開放状態の際には、昇降動用シリンダー装置３及び回動用シリンダー装置４夫々のロッド３ａ，４ａは突出状態でない没状態であるから、常にシリンダー装置３，４は円滑に伸縮作動し得る状態を確保することができ、しかも、非常に耐久性に秀れることになる。
【００２８】
尚、本実施例で言うシリンダー装置３，４のロッド３ａ，４ａにおける突出状態でない没状態とは、ロッド３ａ，４ａが完全に外部（外気や水）に晒されない状態が望ましいのは勿論であるが、要は常にロッド３ａ，４ａが円滑な伸縮作動が行われる状態が確保される程度に筒状収納部３ｂ，４ｂに対して没状態であれば良く、完全に没状態であることに限定されるものではない。
【００２９】
次に、第二実施例について説明する。
【００３０】
第二実施例は、図１０に図示したように一つの開閉作動部８で扉体２を開閉し得るように構成され、図６〜９に図示したように昇降動用シリンダー装置３として第一実施例よりもロッド３ａのストロークが長い昇降動用シリンダー装置３を採用した場合であり、昇降動用シリンダー装置３のロッド３ａの縮動をより多くさせることで扉体２を高い位置まで上方に昇動させ得るように構成されている（昇降動用シリンダー装置３は回動用シリンダー装置４の両脇に左右一対設けられている。）。尚、第二実施例は、水流通路１として水田地域等に形成される水流通路１（農業用水路等）に適用するように構成されており、上方が開口して三方タイプと称されるＵ字状の水路構造物である（図５参照）。符号１５は水流通路１に架設される装置設置用体である。
【００３１】
具体的に、この第二実施例における扉体２の開放作動について説明すると、まず、昇降動用シリンダー装置３のロッド３ａを所定長さ僅かに縮動させると、扉体２が上方向（図７中矢印ａ方向）に昇動し、続いて、回動用シリンダー装置４のロッド４ａを完全に縮動させると、扉体２が前方向（図８中矢印ｂ方向）に回動し、続いて、昇降動用シリンダー装置３のロッド３ａを完全に縮動させると、扉体２が引き込まれるようにして上方（図９中矢印ａ’方向）に昇動（前回動も加わった昇動）して流水口１ｂを開放する開放状態となる（図９，１０参照）。この際、昇降動用シリンダー装置３及び回動用シリンダー装置４夫々のロッド３ａ，４ａは突出状態でない没状態となる。
【００３２】
以上の構成からなる第二実施例は、扉体２をより上方に上げることで開放状態において扉体２を支持する第一リンク機構６及び第二リンク機構７の各所に掛かる負荷を分散することに貢献するものであるが、扉体２の高さが高くなる分だけ広い設置スペースが必要であり、この点を考慮すると、この水流通路１として農業用水路などの上方にあまり制限の無い水流通路１に設置される扉体２の開閉装置として有効である。尚、第二実施例で説明した設置環境（水没しない環境）を考慮すれば、シリンダー装置３，４としては油圧式やエアー式の他にも電動式とすることも可能である。
【００３３】
その余は第一実施例と同様である。
【００３４】
尚、本発明は、前述した第一実施例及び第二実施例に限られるものではなく、各構成要件の具体的構成は適宜設計し得るものである。
【図面の簡単な説明】
【図１】第一実施例に係る扉体の閉塞状態説明図である。
【図２】第一実施例の概略動作説明図である。
【図３】第一実施例の概略動作説明図である。
【図４】第一実施例に係る扉体の開放状態説明図である。
【図５】第一実施例の設置状態説明図である。
【図６】第二実施例に係る扉体の閉塞状態説明図である。
【図７】第二実施例の概略動作説明図である。
【図８】第二実施例の概略動作説明図である。
【図９】第二実施例に係る扉体の開放状態説明図である。
【図１０】第二実施例の設置状態説明図である。
【符号の説明】
１  水流通路
２  扉体
３  昇降動用シリンダー装置・シリンダー装置
４  回動用シリンダー装置・シリンダー装置
５  基体
６  第一リンク機構
７  第二リンク機構
【図１】
2004339821.tif 000003
【図２】
2004339821.tif 000004
【図３】
2004339821.tif 000005
【図４】
2004339821.tif 000006
【図５】
2004339821.tif 000007
【図６】
2004339821.tif 000008
【図７】
2004339821.tif 000009
【図８】
2004339821.tif 000010
【図９】
2004339821.tif 000011
【図１０】
2004339821.tif 000012